(57)【要約】【課題】電動圧縮機５の大型化を防ぎ、且つ、製造工程を簡素化することができ、さらに、コイル７の温度を検出することができる電動圧縮機５を提供することを目的としている。【解決手段】フロントハウジング１ａとミドルハウジング１ｂとリヤハウジング１ｃとからなる略円筒形状のハウジング１と、リヤハウジング１ｃに収容されるモータ部２と、ミドルハウジング１ｂに収容される圧縮部３と、フロントハウジング１ａに収容されるインバータ部４と、からなる電動圧縮機５であって、ミドルハウジング１ｂの吐出ガスが触れている部分の外側に、ハウジング１の温度を検出するセンサ６を設けたことを特徴とする。【選択図】図３
2010180777.tif 000002
【特許請求の範囲】
【請求項１】
フロントハウジング（１ａ）とミドルハウジング（１ｂ）とリヤハウジング（１ｃ）とからなる略円筒形状のハウジング（１）と、前記リヤハウジング（１ｃ）に収容されるモータ部（２）と、前記ミドルハウジング（１ｂ）に収容される圧縮部（３）と、前記フロントハウジング（１ａ）に収容されるインバータ部（４）と、を備え、ハウジング（１）内で圧縮部（３）により冷媒ガスが圧縮されると共に冷媒ガスによってモータ部（２）冷却される電動圧縮機（５）であって、
前記モータ部（２）を冷却する吐出ガスが触れている前記ミドルハウジング（１ｂ）の外周に、該ミドルハウジング（１ｂ）の温度を検出するセンサ（６）を設け、
前記インバータ部（４）に該センサ（６）の検出結果からコイル（７）の温度を推定する推定手段を設けたことを特徴とする電動圧縮機（５）。
【請求項２】
請求項１記載の電動圧縮機（５）であって、
前記リヤハウジング（１ｃ）の外周に、該リヤハウジング（１ｃ）の温度を検出するセンサ（１６）を設け、
前記推定手段は、前記センサ（６）が検出したミドルハウジング（１ｂ）の温度と、センサ（１６）が検出した前記リヤハウジング（１ｃ）の温度との差を演算して、前記モータ部（２）のコイル（７）温度を推定することを特徴とする電動圧縮機（５）。
【発明の詳細な説明】
【技術分野】
【０００１】
本発明は、電動圧縮機に関するものである。
【背景技術】
【０００２】
図７に示すように従来の電動圧縮機１００では、フロントハウジング１０１ａとミドルハウジング１０１ｂとリヤハウジング１０１ｃとからなる略円筒形状のハウジング１０１と、リヤハウジング１０１ｃに収容されるモータ部１０２と、ミドルハウジング１０１ｂに収容される圧縮部１０３と、フロントハウジング１０１ａに収容されるインバータ部１０４と、から形成されている。
【０００３】
モータ部１０２は、回転子の周囲にコイル１０５が配置され、コイル１０５への通電により発生する磁力によって回転する。このようなモータ部１０２では、コイル１０５への通電によってコイル１０５が発熱するので、コイル１０５の温度が異常に上昇した場合には、通電を停止するようになっている。
【０００４】
このため、従来の電動圧縮機１００では、モータ部１０２のコイル１０５の過度な温度上昇によるコイル１０５の破損を防止し、コイル１０５を保護するためにコイル１０５の温度を検出するセンサ１０６が、コイル１０５内又はコイル１０５表面部に設置されている。
【０００５】
また、下記に示す特許文献においてもコイルの温度を検出する電動圧縮機について記載されている。
【先行技術文献】
【特許文献】
【０００６】
【特許文献１】特開平７−１８０６８７号公報
【特許文献２】特開２００３−８３２５８号公報
【発明の概要】
【発明が解決しようとする課題】
【０００７】
しかしながら、従来の電動圧縮機１００では、コイル１０５の温度を検出するセンサ１０６から信号を取り出すためのハーネスをハウジング１０１の外部へ取り出す際に、電動圧縮機１００内部の密封性を確保しようとする密封構造を設けるため、電動圧縮機１００本体が大型化してしまうという問題があった。
【０００８】
また、センサ１０６からのハーネスを取り出す際の密封性を高めるため、シール構造を必要とするので、電動圧縮機１００の製造工程が複雑になるという問題もあった。
【０００９】
そこで、上記の課題を解決するために、本発明は、電動圧縮機の大型化を防ぎ、且つ、製造工程を簡素化することができて、コイルの温度を正確に検出することができる電動圧縮機を提供することを目的としている。
【課題を解決するための手段】
【００１０】
請求項１記載の電動圧縮機５は、フロントハウジング１ａとミドルハウジング１ｂとリヤハウジング１ｃとからなる略円筒形状のハウジング１と、リヤハウジング１ｃに収容されるモータ部２と、ミドルハウジング１ｂに収容される圧縮部３と、フロントハウジング１ａに収容されるインバータ部４と、を備え、ハウジング１内で圧縮部３により冷媒ガスが圧縮されると共に冷媒ガスによってモータ部２冷却される電動圧縮機５であって、モータ部２を冷却する吐出ガスが触れているミドルハウジング１ｂの外周に、該ミドルハウジング１ｂの温度を検出するセンサ６を設け、インバータ部４に該センサ６の検出結果からコイル７の温度を推定する推定手段を設けたことを特徴とする。
【００１１】
請求項２記載の電動圧縮機５は、請求項１記載の電動圧縮機５であって、リヤハウジング１ｃの外周に、該リヤハウジング１ｃの温度を検出するセンサ１６を設け、推定手段は、センサ６が検出したミドルハウジング１ｂの温度と、センサ１６が検出したリヤハウジング１ｃの温度差を演算して、モータ部２のコイル７温度を推定することを特徴とする。
【発明の効果】
【００１２】
本発明は、ミドルハウジングの吐出ガスが触れている部分の外側に、ハウジングの温度を検出するセンサを設けたことにより、このハウジングに触れている吐出ガスの温度が検出され、吐出温度からコイルの温度を推定するので、ハウジングの密封性を損なうことなくコイルの温度を検出することができる。
【００１３】
なお、吐出ガスの温度とモータのコイルの温度とは相関性があり、吐出ガスの温度を検出することで、コイルの温度を推定することができる。
【図面の簡単な説明】
【００１４】
【図１】電動圧縮機の全体断面図。
【図２】本実施形態のブロック図。
【図３】電動圧縮機の要部拡大図。
【図４】他の実施形態の電動圧縮機の全体断面図。
【図５】他の実施形態のブロック図。
【図６】吐出冷媒ガスとコイル温度との相関を表す試験結果。
【図７】従来の電動圧縮機の全体断面図。
【発明を実施するための形態】
【００１５】
以下、本発明の実施の形態について、図１〜３を用いて詳細に説明する。
【実施例１】
【００１６】
図１に示すように、本実施例の電動圧縮機５は、フロントハウジング１ａとミドルハウジング１ｂとリヤハウジング１ｃとからなる略円筒形状のハウジング１と、リヤハウジング１ｃに収容されるモータ部２と、ミドルハウジング１ｂに収容される圧縮部３と、フロントハウジング１ａに収容されるインバータ部４と、を備えている。そして、本実施例の電動圧縮機５は、ミドルハウジング１ｂの吐出ガスが触れている部分の外側に、ハウジング１の温度を検出するセンサ６が設け、インバータ部４に該センサ６の検出結果からコイル７の温度を推定する推定手段（推定演算部１７）を設けている。
【００１７】
上記ハウジング１は、インバータ部４が収容されるフロントハウジング１ａと、圧縮部３が収容されるミドルハウジング１ｂと、モータ部２が収容されるリヤハウジング１ｃと、からなっており、フロントハウジング１ａとミドルハウジング１ｂ、ミドルハウジング１ｂとリヤハウジング１ｃとの間は、ボルト等により固定されている。
【００１８】
上記リヤハウジング１ｃに収容されるモータ部２は、リヤハウジング１ｃの内周面に沿って複数配置されるコイル７と、コイル７から発生する磁気によって回転するモータロータ８と、モータロータ８の中心に固定され回転するロータ軸９と、からなっている。ロータ軸９の両端は、ベアリング１０によってリヤハウジング１ｃと、モータ部２とサイドブロック１４の間に配置される仕切壁と、に支持され、回転自在となっており、一端側は、駆動軸１１が連結される。
【００１９】
モータ部２に隣接する圧縮部３は、内周に略楕円のロータ収容部を有する略ドーナツ形状のシリンダブロック１２と、シリンダブロック１２の内周に収容され駆動軸１１に固定されているロータ１３と、シリンダブロック１２の両端に固定される一対のサイドブロック１４と、からなっている。この圧縮部３は、モータ部２の回転駆動力で回転するロータ１３により冷媒が圧縮され、モータ部２の回転はインバータ部４によって制御される。
【００２０】
インバータ部４は、モータ部２の駆動を制御する駆動回路部１５と、検出された吐出ガスの温度からコイル７の温度を推定する推定演算部１７と、からなっている。この推定演算部１７には、センサ６からの検出結果が伝達される。
【００２１】
図３に示すように、センサ６は、略円筒形状のセンサ本体６ａと、後述する雌ねじ部６ｂと螺合する雄ねじ部６ｃと、センサ本体６ａから検出された情報を伝達するハーネス６ｄと、からなっている。センサ本体６ａは、一端側の先端がセンサ取付部２０に接触する接触面２１と、他端側の先端から引き出されるハーネス引出部２２と、からなっている。
【００２２】
センサ本体６ａが取付られるセンサ取付部２０は、センサ本体６ａが挿入されるねじ孔２３と、センサ本体６ａの雄ねじ部６ｃが螺合される雌ねじ部６ｂと、センサ本体６ａの接触面２１が接触する測定面２４と、からなっている。このセンサ取付部２０には、センサ本体６ａが接続固定される。
【００２３】
この電動圧縮機５は、インバータ部４の駆動回路部１５からモータ部２のコイル７に電流が流れてロータ８が回転し、ロータ８に固定されたロータ軸９が回転し、ロータ軸９の一端側に連結された駆動軸１１に回転駆動力が伝達され、圧縮部３のロータ１３が回転して冷媒を圧縮する。圧縮された冷媒は、ミドルハウジング１ｂを通ってリヤハウジング１ｃに入り、リヤハウジング１ｃのモータ部２を通って吐出口から外方へ吐出される。
【００２４】
圧縮された冷媒が接するシリンダブロック１２及びミドルハウジング１ｂに冷媒の熱が伝達され、ミドルハウジング１ｂに設けたセンサ６がミドルハウジング１ｂの温度を検出することで、冷媒の温度を検出する。この検出結果は推定演算部１７に伝達される。
【００２５】
本実施例によれば、ミドルハウジング１ｂの吐出ガスが触れている部分の外側に、ハウジング１の温度を検出するセンサ６を設けることにより、冷媒の吐出温度からコイル７の温度を推定することができる。
【００２６】
なお、図６に示すように、実線で示す吐出ガスの温度とモータのコイル温度の試験値は、吐出ガス温度が約８０℃〜約１３０℃の間でほぼ直線的に推移する。従って、モータコイル温度は吐出ガス温度と相関性がある。
【００２７】
これにより、コイル７の温度を直接検出しないのでハウジング１内にセンサ６を取り付ける必要がなく、電動圧縮機５の大型化を防ぐことができ、さらに、センサ６からのハーネス６ｄを引き出す際にハウジング１に貫通孔を設けないので密封性を確保することができ密封性を損なうことなくコイル７の温度を推定することができる。また、シール構造が不要になるので、電動圧縮機５の製造工程を簡素化することができる。
【実施例２】
【００２８】
図４，５を用いて第２実施例の電動圧縮機５について説明する。なお、上記第１実施例と同構成部分については、同符号を付して重複した説明を省略する。
【００２９】
図４に示すように、本発明では、リヤハウジング１ｃの外周の吐出ポート近傍に、センサ６に加えて該リヤハウジング１ｃの温度を検出するセンサ１６を設け、センサ６が検出したミドルハウジング１ｂの温度と、センサ１６が検出したリヤハウジング１ｃの温度との差を演算して、モータ部２のコイル７温度を推定演算部１７が推定する。
【００３０】
本実施例では、推定演算部１７が、センサ６が検出したミドルハウジング１ｂの温度と、センサ１６が検出したリヤハウジング１ｃの温度との差を演算して、モータによる吐出ガスの温度の加熱量によりモータ部２のコイル温度を推定することによって、より正確にコイル７の温度を検出することができる。
【００３１】
また、本実施例においても、上記実施例１と同様に、コイル７の温度を直接検出しないのでハウジング１内にセンサ６，１６を取り付ける必要がなく、電動圧縮機５の大型化を防ぐことができ、さらに、センサ６，１６からのハーネス６ｄを引き出す際にハウジング１に貫通孔を設けないので密封性を確保することができ密封性を損なうことなくコイル７の温度を推定することができる。また、シール構造が不要になるので、電動圧縮機５の製造工程を簡素化することができる。
【符号の説明】
【００３２】
１  ハウジング
１ａ  フロントハウジング
１ｂ  ミドルハウジング
１ｃ  リヤハウジング
２  モータ部
３  圧縮部
４  インバータ部
５  電動圧縮機
６  センサ
７  コイル
【図１】
2010180777.tif 000003
【図２】
2010180777.tif 000004
【図３】
2010180777.tif 000005
【図４】
2010180777.tif 000006
【図５】
2010180777.tif 000007
【図６】
2010180777.tif 000008
【図７】
2010180777.tif 000009